(57)【特許請求の範囲】
【請求項１】
復水が導入されるケーシングと、該ケーシング内に配置された上下方向に延在する複数の濾過エレメントとを有してなり、
該濾過エレメントは、上下に多段に、且つ各段に複数個設置されている復水浄化装置であって、
前記ケーシングの上部に処理水室が略水平なエンドプレートによって区画形成されており、
前記各濾過エレメントは該エンドプレートに支持されており、
各濾過エレメントの濾過水が該処理水室に集められるように各濾過エレメントの濾過水側が該処理水室に連通していることを特徴とする復水浄化装置。
【請求項２】
請求項１において、該濾過エレメントは濾過膜として限外濾過膜又は精密濾過膜を用いたものであることを特徴とする復水浄化装置。
【発明の詳細な説明】
【０００１】
【発明の属する技術分野】
本発明は発電設備からの復水を浄化するための復水浄化装置に係り、特に復水を膜濾過により浄化するようにした復水浄化装置に関する。
【０００２】
【従来の技術】
従来、火力発電所や原子力発電所で発生する復水は、プレコート式の濾過器で濾過され、循環使用されている。
【０００３】
【発明が解決しようとする課題】
プレコート式の濾過器においては、プレコート層を形成するためのプレコート液タンク、プレコート液ポンプ等の各種の付帯設備が必要であり、設備コストが嵩む。また、プレコート層を形成する操作が必要であるところから、運転管理に手間がかかる。
【０００４】
本発明は、設備コストが低廉であり運転管理も容易な復水浄化装置を提供することを目的とする。
【０００５】
【課題を解決するための手段】
本発明の復水浄化装置は、復水が導入されるケーシングと、該ケーシング内に配置された上下方向に延在する複数の濾過エレメントとを有してなり、該濾過エレメントは、上下に多段に、且つ各段に複数個設置されている復水浄化装置であって、前記ケーシングの上部に処理水室が略水平なエンドプレートによって区画形成されており、前記各濾過エレメントは該エンドプレートに支持されており、各濾過エレメントの濾過水が該処理水室に集められるように各濾過エレメントの濾過水側が該処理水室に連通していることを特徴とするものである。
【０００６】
かかる本発明の復水浄化装置は、濾過エレメントで復水を濾過するものであり、プレコートが不要である。
【０００７】
本発明の復水浄化装置においては、濾過エレメントを上下に多段に配置しているので、単位設置面積（床面積）当りの濾過面積を大きくとることができる。また、濾過エレメントを上下に多段に設けたことにより、各濾過エレメントの長さ（上下方向長さ）を小さくすることができる。この結果、各濾過エレメントを十分に逆洗することができる。
【０００９】
【発明の実施の形態】
図１は実施の形態に係る復水浄化装置の縦断面図、図２は図１のＩＩ部分の拡大図、図３，４は図１のＩＩＩ−ＩＩＩ  線及びＩＶ−ＩＶ  線に沿う断面図である。
【００１０】
筒状のケーシング１の上部に水平にエンドプレート２が設けられ、このエンドプレート２の上側に処理水室３が形成されている。このエンドプレート２の下側に濾過エレメント４が上下２段に設けられている。各濾過エレメント４は、集水管５の外周にプリーツ状の濾過膜６を巻回したものであり、プリーツ状濾過膜６の内部が該集水管５内に連通している。濾過膜６としては、ＵＦ（限外濾過）膜、ＭＦ（精密濾過）膜など各種の膜を用いることができる。
【００１１】
上段側のエレメント４は、集水管５がエンドプレート２に直に連結され、該集水管５内が処理水室３内に直接的に連通している。
【００１２】
エンドプレート２からパイプ７が垂設されている。該パイプ７は上段側のエレメント４の間を通って下方に延び、その下端に下段側エレメント４の集水管５の上端が連結されている。パイプ７内は処理水室３内に連通しており、下段側エレメント４の濾過水は該パイプ７を介して処理水室３に流入する。
【００１３】
なお、各上段側エレメント４の下部はタイロッド８によってケーシング１に支持されている。下段側エレメント４の下部もタイロッド９によってケーシング１に支持されている。
【００１４】
このように構成された復水浄化装置において、復水はケーシング１の底部の流入口１０から流入し、濾過エレメント４によって濾過処理される。濾過水は、各エレメント４の集水管５から処理水室３内に流入し、取出口１１から取り出され、再使用される。
【００１５】
この復水浄化装置においては、エレメント４を上下多段に設置しているため、単位設置面積当りの膜面積を大きくとることができる。また、エレメント４を逆洗するに際しては処理水室３に圧をかけて処理水をエレメント４に逆流させるのであるが、この際、エレメント４の上下方向長さが小さいので、処理水室３からの逆洗水が各エレメント４において隅々まで十分に供給されるようになり、各エレメント４の全体を満遍なく逆洗できる。
【００１６】
本発明は、既設のプレコート式濾過器を改造する場合に採用するのに好適である。即ち、プレコート式濾過器のケーシングは、一般に上下に長いため、ケーシング内に濾過エレメントを１段しか設置しない場合には、ケーシング内の下部にかなりのスペースがあいてしまう。（なお、該エレメントを上下に著しく長くすればかかるスペースの無駄は無くなるが、各エレメントの逆洗が不十分となり易い。又、長くする分、処理水量が増大するため、集水管を通常より太いものに変更しなければならない。）これに対し、本発明ではエレメントを上下に多段に設置するため、かかる無駄なスペースを解消ないし著しく小さくすることができる。ただし、本発明を新設の復水浄化装置にも適用できることは明らかである。
【００１７】
上記実施の形態ではエレメントとして集水管５の周囲に濾過膜６を折りたたんで巻回したプリーツ型エレメントが採用されているが、ケーシング内に上下方向に延在させるように配設できるエレメントであれば良く、デプス型エレメントや中空糸エレメントであっても良い。
【００１８】
本発明では、エレメントを３段以上に設置しても良い。本発明では、各段のエレメントの上下方向の長さを同一としても良く、異ならせても良い。
【００１９】
【実施例】
実施例１
図１に示す構成のケーシング１内に次の表１に示す条件にてエレメント４を配設したところ、合計１５３ｍ２  の濾過膜面積が得られた。
【００２０】
比較例１
実施例１において、下段側エレメントを省略した場合、表１の通り濾過膜面積は１１６ｍ２  である。
【００２１】
【表１】
0003577855.tif 000002
【００２２】
このように、実施例１では比較例１に比べ膜面積を３２％増加できた。従って、従来法における単位面積当りの通水流量を例えば０．５ｍ３／ｍ２・ｈとすると、本発明法では０．３８ｍ３／ｍ２・ｈまで低減できる。
【００２３】
なお、実施例１及び比較例１において差圧上昇速度をＢＷＲ型原子力発電所復水実液で比較したところ、０．３ｋｇ／ｃｍ２  差圧上昇するのに要した日数（日）は比較例では１１０日であったのに対し、実施例では１８０日にまで延長されることが認められた。
【００２４】
【発明の効果】
以上の通り、本発明によると、同一設置面積で復水浄化装置の濾過膜面積を増大させることができる。このため、膜単位面積当りの処理水量負荷が減少し、濾過差圧上昇を遅くすることができる。また、これにより、逆洗頻度を少なくすることができ、膜寿命を延長することもできる。本発明の復水浄化装置は、プレコート式復水浄化装置に比べ運転管理が容易であると共に、設備が簡易であり、設備コスト及び復水処理コストが低廉である。
【図面の簡単な説明】
【図１】実施の形態に係る復水浄化装置の縦断面図である。
【図２】図１のＩＩ部分の拡大図である。
【図３】図１のＩＩＩ−ＩＩＩ  線に沿う断面図である。
【図４】図１のＩＶ−ＩＶ  線に沿う断面図である。
【符号の説明】
１  ケーシング
２  エンドプレート
３  処理水室
４  濾過エレメント
５  集水管
６  濾過膜
７  パイプ
８，９  タイロッド
１０  流入口
１１  取出口
【図１】
0003577855.tif 000003
【図２】
0003577855.tif 000004
【図３】
0003577855.tif 000005
【図４】
0003577855.tif 000006